(57)【要約】【課題】  ２チャンネルステレオ信号の差成分に基づいて４チャンネルサラウンド信号を生成する音場調整装置において、２チャンネルステレオ信号のセパレーションが悪化してもリヤスピーカの不鳴りや音の大小の変動を抑える。【解決手段】  入力される左チャンネル用信号Ｌと右チャンネル用信号Ｒとから差信号（Ｌ−Ｒ）を生成し、左右の入力信号Ｌ，Ｒと差信号（Ｌ−Ｒ）に基づいて、聴取者の前方から到来する前方到来音信号ＦＬ，ＦＲ、及び、聴取者の後方から到来する後方到来音信号ＲＬ，ＲＲを生成するサラウンド装置に接続される音場調整装置であって、前方到来音信号ＦＬ，ＦＲの一部、またはステレオ２チャンネル信号Ｌ，Ｒの一部を、後方到来音信号ＲＬ，ＲＲに加算することにより音場を調整する音場調整装置である。【選択図】      図３
2004364240.tif 000002
【特許請求の範囲】
【請求項１】
２チャンネルステレオ信号を出力する再生機器から入力された左チャンネル用信号と右チャンネル用信号、及びこれらの入力信号から生成した差信号に基づいてサラウンド信号を生成するサラウンド信号処理手段を備えるサラウンド装置に接続される音場調整装置であって、
前記左チャンネル用信号と右チャンネル用信号の一方または両方に基づいて生成された信号を、所定の前記サラウンド信号に加算信号として加算して音場を調整する音場調整手段を備えることを特徴とする音場調整装置。
【請求項２】
請求項１に記載の音場調整装置であって、
前記サラウンド信号処理手段からは、前記サラウンド信号として、聴取者の前方から到来する少なくとも左右２つの前方到来音用のサラウンド信号、及び、聴取者の後方から到来する少なくとも１つの後方到来音用のサラウンド信号が出力され、
前記音場調整手段には、前記後方到来音用のサラウンド信号が入力されるラインに加算器が備えられ、前記前方到来音用のサラウンド信号の一部が前記加算信号としてこの加算器に導かれ、前記後方到来音用のサラウンド信号に加算されることを特徴とする音場調整装置。
【請求項３】
請求項１に記載の音場調整装置であって、
前記サラウンド信号処理手段からは、前記サラウンド信号として、聴取者の前方から到来する少なくとも左右２つの前方到来音用のサラウンド信号、及び、聴取者の後方から到来する少なくとも１つの後方到来音用のサラウンド信号が出力され、
前記音場調整手段には、前記後方到来音用のサラウンド信号が入力されるラインに加算器が備えられ、前記左チャンネル用信号または右チャンネル用信号の一部が前記加算信号としてこの加算器に導かれ、前記後方到来音用のサラウンド信号に加算されることを特徴とする音場調整装置。
【請求項４】
請求項２又は３に記載の音場調整装置であって、
前記音場調整手段には、前記サラウンド信号処理手段から出力される左右２つの前方到来音用のサラウンド信号がそれぞれ入力される２つのラインと、前記サラウンド信号処理手段から出力される左右２つの後方到来音用のサラウンド信号がそれぞれ入力される２つのラインが設けられていることを特徴とする音場調整装置。
【請求項５】
請求項４に記載の音場調整装置であって、
前記左側の後方到来音用のサラウンド信号のラインに設けられた前記加算器には、前記左側の前方到来音用のサラウンド信号の一部、又は前記左チャンネル用信号の一部が前記加算信号として導かれ、前記右側の後方到来音用のサラウンド信号のラインに設けられた前記加算器には、前記右側の前方到来音用のサラウンド信号の一部、又は前記右チャンネル用信号の一部が前記加算信号として導かれることを特徴とする音場調整装置。
【請求項６】
請求項４に記載の音場調整装置であって、
前記左右の後方到来音用のサラウンド信号ラインに設けられた前記加算器には、前記左右の前方到来音用のサラウンド信号の一部の和、又は前記左右チャンネル用信号の一部の和が、それぞれ前記加算信号として導かれることを特徴とする音場調整装置。
【請求項７】
請求項４に記載の音場調整装置であって、
前記左右の後方到来音用のサラウンド信号ラインに設けられた前記加算器には、前記左右の前方到来音用のサラウンド信号の一方の一部、又は前記左右チャンネル用信号の一方の一部が、それぞれ前記加算信号として導かれることを特徴とする音場調整装置。
【請求項８】
請求項２から４の何れか１項に記載の音場調整装置であって、
前記音場調整手段には、前記サラウンド信号処理手段から出力される左右２つの前方到来音用のサラウンド信号がそれぞれ入力される２つのラインに加えて、前記サラウンド信号処理手段から出力される中央の前方到来音用のサラウンド信号が入力されるラインがあり、
前記後方到来音用のサラウンド信号のラインに設けられた前記加算器には、前記中央の前方到来音用のサラウンド信号の一部が前記加算信号として導かれることを特徴とする音場調整装置。
【請求項９】
請求項５に記載の音場調整装置であって、
前記音場調整手段には更に、前記サラウンド信号処理手段から出力される、中央の前方到来音用のサラウンド信号が入力されるラインと、中央の後方到来音用のサラウンド信号が入力されるラインが設けられており、
前記中央の後方到来音用のサラウンド信号のラインに設けられた前記加算器には、前記中央の前方到来音用のサラウンド信号の一部が前記加算信号として導かれることを特徴とする音場調整装置。
【請求項１０】
請求項８に記載の音場調整装置であって、
前記後方到来音用のサラウンド信号のラインが、左右２つの後方到来音用のサラウンド信号と中央の後方到来音用のサラウンド信号が入力される３つのラインであることを特徴とする音場調整装置。
【請求項１１】
請求項５に記載の音場調整装置であって、
前記音場調整手段には更に、前記サラウンド信号処理手段から出力される、中央の後方到来音用のサラウンド信号が入力されるラインが設けられており、
前記中央の後方到来音用のサラウンド信号のラインに設けられた前記加算器には、前記左右の前方到来音用のサラウンド信号の一部の和が前記加算信号として導かれることを特徴とする音場調整装置。
【請求項１２】
請求項５に記載の音場調整装置であって、
前記音場調整手段には更に、前記サラウンド信号処理手段から出力される、中央の後方到来音用のサラウンド信号が入力されるラインが設けられており、
前記中央の後方到来音用のサラウンド信号のラインに設けられた前記加算器には、前記左側の後方到来音用のサラウンド信号のラインに設けられた前記加算器の出力信号の一部と、前記右側の後方到来音用のサラウンド信号のラインに設けられた前記加算器の出力信号の一部とが、それぞれ前記加算信号として導かれることを特徴とする音場調整装置。
【請求項１３】
請求項１から１２の何れか１項に記載の音場調整装置であって、
前記音場調整手段に設けられた前記加算器の入力側に接続する各ラインに、それぞれ増幅器が設けられていることを特徴とする音場調整装置。
【請求項１４】
請求項１から１３の何れか１項に記載の音場調整装置であって、
前記音場調整手段に設けられた前記加算器の出力側に接続するラインに、遅延回路が設けられており、前記加算後の前記後方到来音用のサラウンド信号が前記遅延回路によって所定時間遅延されることを特徴とする音場調整装置。
【請求項１５】
請求項１から１３の何れか１項に記載の音場調整装置であって、
前記音場調整手段に設けられた前記加算器の入力側に接続する前記加算信号のラインに第１の遅延回路が設けられており、
前記左右の前方到来音用のサラウンド信号の一部、又は前記左右チャンネル用信号の一部は、前記後方到来音用のサラウンド信号への加算前に、前記第１の遅延回路によって所定時間遅延されることを特徴とする音場調整装置。
【請求項１６】
請求項１５に記載の音場調整装置であって、
前記音場調整手段に設けられた前記加算器の入力側に接続する前記後方到来音用のサラウンド信号のラインに第２の遅延回路が設けられており、
前記サラウンド信号処理手段から出力される前記後方到来音用のサラウンド信号が、前記加算器の前段で前記第２の遅延回路によって所定時間遅延されることを特徴とする音場調整装置。
【請求項１７】
請求項１から１６の何れか１項に記載の音場調整装置であって、
前記音場調整手段に設けられた前記加算器の入力側に接続する前記後方到来音用のサラウンド信号のラインに圧縮回路が設けられており、
前記サラウンド信号処理手段から出力される前記後方到来音用のサラウンド信号が、前記加算器の前段で前記圧縮回路によって圧縮されることを特徴とする音場調整装置。
【請求項１８】
請求項１から１６の何れか１項に記載の音場調整装置であって、
前記音場調整手段に設けられた前記加算器の出力側に接続するラインに圧縮回路が設けられており、
前記加算後の前記後方到来音用のサラウンド信号が、前記圧縮回路によって圧縮されることを特徴とする音場調整装置。
【請求項１９】
請求項１から１８の何れか１項に記載の音場調整装置であって、
前記音場調整手段に、前記増幅器の増幅率調整手段と、前記２チャンネルステレオ信号のセパレーションの検出手段が設けられており、
検出されたセパレーションの大きさに応じて前記増幅率調整手段によって前記増幅器の増幅率が調整されることを特徴とする音場調整装置。
【請求項２０】
請求項１から１８の何れか１項に記載の音場調整装置であって、
前記音場調整手段に前記増幅器の増幅率調整手段が設けられており、
前記２チャンネルステレオ信号のソースの種類とそのソースのセパレーションが既知の場合に、入力されるソースの種類に応じて前記増幅率調整手段によって前記増幅器の増幅率が調整されることを特徴とする音場調整装置。
【請求項２１】
請求項１から２０の何れか１項に記載の音場調整装置であって、
この音場調整装置は、前記２チャンネルステレオ信号のソースとして、ＡＭチューナ、ＦＭチューナ及びＴＶチューナのうちの少なくとも１つのチューナを有する車載用音響装置のサラウンド回路に接続されることを特徴とする音場調整装置。
【発明の詳細な説明】
【技術分野】
【０００１】
本発明は音場調整装置に関し、特に、２チャンネルステレオ信号の差成分に基づいてサラウンド信号を生成するサラウンド装置に接続されて使用される音場調整装置の改良に関する。
【背景技術】
【０００２】
従来、臨場感のある音を再生するシステムとしては、聴取者の前方に２つのスピーカを左右に分けて配置し、各スピーカから異なる音を再生する２チャンネルステレオ方式が知られている。一方、聴取者の背後にもスピーカを左右に配置して立体音響を再生し、一層臨場感を増したサラウンド装置も公知である。
【０００３】
かつてのサラウンド装置では、前方２つ、後方２つの合計４つのスピーカの音を別々に４チャンネル分作成しておき、各チャンネルの音を各チャンネルに対応する４つのスピーカで再生することが行われていた。ところが、近年、回路技術の進歩により、サラウンド信号処理回路を用いて２チャンネルステレオ信号から４チャンネルの出力信号を生成し、この４チャンネルの出力信号を聴取者の前方と後方の左右にそれぞれ配置した４つのスピーカで再生するサラウンド装置が出現している（例えば、特許文献１，２参照）。
【０００４】
このようなサラウンド装置のサラウンド信号処理回路には、２チャンネルのステレオ信号（左チャンネル信号Ｌと右チャンネル信号Ｒ）が入力される。サラウンド信号処理回路は、この２チャンネルステレオ信号を内部で信号処理することにより、左フロントスピーカで再生するチャンネル信号ＦＬ、右フロントスピーカで再生するチャンネル信号ＦＲ、左リヤスピーカで再生するチャンネル信号ＲＬ、及び右リヤスピーカで再生するチャンネル信号ＲＲの４つの信号を生成して出力する。
【０００５】
【特許文献１】特開平５−０９１６００号公報（図４）
【特許文献２】特開平７−０４０７６０号公報（第１図、第２図）
【発明の開示】
【発明が解決しようとする課題】
【０００６】
ところが、このようなサラウンド信号処理回路では一般に、ステレオ２チャンネル信号Ｌ，Ｒの相関成分を取り除いた差成分、例えば（Ｌ−Ｒ）成分に基づいて４チャンネルのサラウンド信号を生成しているために、入力される２チャンネルステレオ信号Ｌ，Ｒのセパレーションが何らかの原因、例えば、ＦＭ電波受信時の電界強度変化や、マルチパスノイズで変動した場合、（Ｌ−Ｒ）成分が減少することによってサラウンド信号の音量が減少してしまい、リヤスピーカから出る音の大きさが変化したり、最悪の場合はリヤスピーカから音が出ないという不具合が発生してしまうという問題があった。
【０００７】
この問題について、例えば、ＦＭチューナで受信した電波から２チャンネルステレオ信号Ｌ，Ｒを再生し、この２チャンネルステレオ信号Ｌ，Ｒから４チャンネルの立体音響を再生する場合について図１を用いて説明する。
【０００８】
図１（ａ）は強電界地域にアンテナ１とＦＭチューナ２が設置されている場合のサラウンド信号処理回路３の動作を示すものである。強電界地域では、ＦＭチューナ２からはセパレーションの高い２チャンネルステレオ信号のＬ成分とＲ成分が出力される。この時は（Ｌ−Ｒ）成分が十分にあり、サラウンド信号処理回路３はこの（Ｌ−Ｒ）成分に基づいて左フロントスピーカＳＰＦＬで再生するチャンネル信号ＦＬ、右フロントスピーカＳＰＦＲで再生するチャンネル信号ＦＲ、左リヤスピーカＳＰＲＬで再生するチャンネル信号ＲＬ、及び右リヤスピーカＳＰＲＲで再生するチャンネル信号ＲＲの４つの信号を生成して出力する。この結果、４つのスピーカＳＰＦＬ，ＳＰＦＲ，ＳＰＲＬ，ＳＰＲＲによって立体音響が再生される。
【０００９】
図１（ｂ）は弱電界地域にアンテナ１とＦＭチューナ２が設置されている場合のサラウンド信号処理回路３の動作を示すものである。弱電界地域では、ＦＭチューナ２からはセパレーションの低い２チャンネルステレオ信号のＬ成分とＲ成分が出力され、最悪の場合、出力はＬ成分とＲ成分とが等しいモノラルとなる。この時は（Ｌ−Ｒ）成分が０となり、サラウンド信号処理回路３は、左フロントスピーカＳＰＦＬで再生するチャンネル信号ＦＬと右フロントスピーカＳＰＦＲで再生するチャンネル信号ＦＲは生成できるが、左リヤスピーカＳＰＲＬで再生するチャンネル信号ＲＬと右リヤスピーカＳＰＲＲで再生するチャンネル信号ＲＲを生成することができない。この結果、左フロントスピーカＳＰＦＬと右フロントスピーカＳＰＦＲからは音が再生されるが、左リヤスピーカＳＰＲＬと右リヤスピーカＳＰＲＲからは全く音が出ないことになる。
【００１０】
このように、２チャンネルステレオ信号Ｌ，Ｒのセパレーションが、ＦＭ電波受信時の電界強度で変化したり、マルチパスノイズで変動するような状況は、例えば、ＦＭチューナが車両に搭載されている場合に発生する。
【００１１】
そこで本発明は、２チャンネルステレオ信号Ｌ，Ｒの差成分（Ｌ−Ｒ）に基づいて４チャンネルサラウンド信号を生成するサラウンド装置に音場調整装置を接続し、サラウンド装置に入力される２チャンネルステレオ信号Ｌ，Ｒのセパレーションが何らかの原因で悪化した場合でも、この音場調整装置により、リヤスピーカから出る音の大小の変動や、音が全く出ないという不具合が発生することがないようにすることを目的としている。
【課題を解決するための手段】
【００１２】
前記目的を達成する本発明の音場調整装置の第１の形態は、２チャンネルステレオ信号を出力する再生機器から入力された左チャンネル用信号と右チャンネル用信号、及びこれらの信号から生成した差信号に基づいてサラウンド信号を生成するサラウンド信号処理手段を備えるサラウンド装置に接続される音場調整装置であって、左チャンネル用信号と右チャンネル用信号の一方または両方に基づいて生成された信号を、所定のサラウンド信号に加算信号として加算して音場を調整する音場調整手段を備えることを特徴としている。
【００１３】
以上の形態に加えて、更に、以下の第２から第２１の形態が可能である。
【００１４】
（ａ）第１の形態の音場調整装置において、サラウンド信号処理手段からは、サラウンド信号として、聴取者の前方から到来する少なくとも左右２つの前方到来音用のサラウンド信号、及び、聴取者の後方から到来する少なくとも１つの後方到来音用のサラウンド信号が出力され、音場調整手段には、後方到来音用のサラウンド信号が入力されるラインに加算器が備えられ、前記前方到来音用のサラウンド信号の一部が前記加算信号としてこの加算器に導かれ、前記後方到来音用のサラウンド信号に加算される第２の形態。
【００１５】
（ｂ）第１の形態の音場調整装置において、サラウンド信号処理手段からは、サラウンド信号として、聴取者の前方から到来する少なくとも左右２つの前方到来音用のサラウンド信号、及び、聴取者の後方から到来する少なくとも１つの後方到来音用のサラウンド信号が出力され、音場調整手段には、後方到来音用のサラウンド信号が入力されるラインに加算器が備えられ、左チャンネル用信号または右チャンネル用信号の一部が加算信号としてこの加算器に導かれ、後方到来音用のサラウンド信号に加算される第３の形態。
【００１６】
（ｃ）第２又は３の形態の音場調整装置において、音場調整手段には、サラウンド信号処理手段から出力される左右２つの前方到来音用のサラウンド信号がそれぞれ入力される２つのラインと、サラウンド信号処理手段から出力される左右２つの後方到来音用のサラウンド信号がそれぞれ入力される２つのラインが設けられている第４の形態。
【００１７】
（ｄ）第４の形態の音場調整装置において、左側の後方到来音用のサラウンド信号のラインに設けられた加算器には、左側の前方到来音用のサラウンド信号の一部、又は左チャンネル用信号の一部が加算信号として導かれ、右側の後方到来音用のサラウンド信号のラインに設けられた加算器には、右側の前方到来音用のサラウンド信号の一部、又は右チャンネル用信号の一部が加算信号として導かれる第５の形態。
【００１８】
（ｅ）第４の形態の音場調整装置において、左右の後方到来音用のサラウンド信号ラインに設けられた加算器には、左右の前方到来音用のサラウンド信号の一部の和、又は左右チャンネル用信号の一部の和が、それぞれ加算信号として導かれる第６の形態。
【００１９】
（ｆ）第４の形態の音場調整装置において、左右の後方到来音用のサラウンド信号ラインに設けられた加算器には、左右の前方到来音用のサラウンド信号の一方の一部、又は左右チャンネル用信号の一方の一部が、それぞれ加算信号として導かれる第７の形態。
【００２０】
（ｇ）第２から４の何れかの形態の音場調整装置において、音場調整手段には、サラウンド信号処理手段から出力される左右２つの前方到来音用のサラウンド信号がそれぞれ入力される２つのラインに加えて、サラウンド信号処理手段から出力される中央の前方到来音用のサラウンド信号が入力されるラインがあり、後方到来音用のサラウンド信号のラインに設けられた加算器には、中央の前方到来音用のサラウンド信号の一部が、加算信号として導かれる第８の形態。
【００２１】
（ｈ）第５の形態の音場調整装置において、音場調整手段には更に、サラウンド信号処理手段から出力される、中央の前方到来音用のサラウンド信号が入力されるラインと、中央の後方到来音用のサラウンド信号が入力されるラインが設けられており、中央の後方到来音用のサラウンド信号のラインに設けられた加算器には、中央の前方到来音用のサラウンド信号の一部が加算信号として導かれる第９の形態。
【００２２】
（ｉ）第８の形態の音場調整装置において、後方到来音用のサラウンド信号のラインが、左右２つの後方到来音用のサラウンド信号と中央の後方到来音用のサラウンド信号が入力される３つのラインである第１０の形態。
【００２３】
（ｊ）第５の形態の音場調整装置において、音場調整手段には更に、サラウンド信号処理手段から出力される、中央の後方到来音用のサラウンド信号が入力されるラインが設けられており、中央の後方到来音用のサラウンド信号のラインに設けられた加算器には、左右の前方到来音用のサラウンド信号の一部の和が加算信号として導かれる第１１の形態。
【００２４】
（ｋ）第５の形態の音場調整装置において、音場調整手段には更に、サラウンド信号処理手段から出力される、中央の後方到来音用のサラウンド信号が入力されるラインが設けられており、中央の後方到来音用のサラウンド信号のラインに設けられた加算器には、左側の後方到来音用のサラウンド信号のラインに設けられた加算器の出力信号の一部と、右側の後方到来音用のサラウンド信号のラインに設けられた加算器の出力信号の一部とが、それぞれ加算信号として導かれる第１２の形態。
【００２５】
（ｌ）第１から１２の何れかの形態の音場調整装置において、音場調整手段に設けられた加算器の入力側に接続する各ラインに、それぞれ増幅器が設けられている第１３の形態。
【００２６】
（ｍ）第１から１３の何れかの形態の音場調整装置において、音場調整手段に設けられた加算器の出力側に接続するラインに遅延回路が設けられており、加算後の後方到来音用のサラウンド信号が遅延回路によって所定時間遅延される第１４の形態。
【００２７】
（ｎ）第１から１３の何れかの形態の音場調整装置において、音場調整手段に設けられた加算器の入力側に接続する加算信号のラインに第１の遅延回路が設けられており、左右の前方到来音用のサラウンド信号の一部、又は左右チャンネル用信号の一部は、後方到来音用のサラウンド信号への加算前に、第１の遅延回路によって所定時間遅延される第１５の形態。
【００２８】
（ｏ）第１５の形態の音場調整装置において、音場調整手段に設けられた加算器の入力側に接続する後方到来音用のサラウンド信号のラインに第２の遅延回路が設けられており、サラウンド信号処理手段から出力される後方到来音用のサラウンド信号が、加算器の前段で第２の遅延回路によって所定時間遅延される第１６の形態。
【００２９】
（ｐ）第１から１６の何れかの形態の音場調整装置において、音場調整手段に設けられた加算器の入力側に接続する後方到来音用のサラウンド信号のラインに圧縮回路が設けられており、サラウンド信号処理手段から出力される後方到来音用のサラウンド信号が、加算器の前段で圧縮回路によって圧縮される第１７の形態。
【００３０】
（ｑ）第１から１６の何れかの形態の音場調整装置において、音場調整手段に設けられた加算器の出力側に接続するラインに圧縮回路が設けられており、加算後の後方到来音用のサラウンド信号が圧縮回路によって圧縮される第１８の形態。
【００３１】
（ｒ）第１から１８の何れかの形態の音場調整装置において、音場調整手段に、増幅器の増幅率調整手段と、２チャンネルステレオ信号のセパレーションの検出手段が設けられており、検出されたセパレーションの大きさに応じて増幅率調整手段によって増幅器の増幅率が調整される第１９の形態。
【００３２】
（ｓ）第１から１８の何れかの形態の音場調整装置において、音場調整手段に増幅器の増幅率調整手段が設けられており、２チャンネルステレオ信号のソースの種類とそのソースのセパレーションが既知の場合に、入力されるソースの種類に応じて増幅率調整手段によって増幅器の増幅率が調整される第２０の形態。
【００３３】
（ｔ）第１から２０の何れかの形態の音場調整装置において、この音場調整装置は、２チャンネルステレオ信号のソースとして、ＡＭチューナ、ＦＭチューナ及びＴＶチューナのうちの少なくとも１つのチューナを有する車載用音響装置のサラウンド回路に接続される第２１の形態。
【発明の効果】
【００３４】
この結果、ステレオ２チャンネル信号の差成分に基づいて４チャンネルのサラウンド信号を生成するサラウンド装置に接続した音場調整装置により、サラウンド装置に入力されるステレオ２チャンネル信号のセパレーションが何らかの原因で悪化した場合でも、リヤのスピーカから出る音の大小の変動や、音が全く出ないという不具合が発生することがないという効果がある。
【発明を実施するための最良の形態】
【００３５】
以下添付図面に基づいて、本発明の音場調整装置の実施の形態を、具体的な実施例に基づいて詳細に説明する。
【００３６】
図２は本発明のサラウンド回路１０を備えたオーディオシステムの一実施例の全体構成を示すものである。この実施例のオーディオシステムは、オーディオの聴取者３０の左前方に配置された左フロントスピーカＳＰＦＬ、右前方に配置された右フロントスピーカＳＰＦＲ、左後方に配置された左リヤスピーカＳＰＲＬ、及び右後方に配置された右リヤスピーカＳＰＲＲの４スピーカを使用するサラウンドシステムである。
【００３７】
この実施例のオーディオシステムには、２チャンネルステレオ信号Ｌ，Ｒを出力するオーディオ再生機器として、アンテナ１に接続するチューナ２、ＣＤ（コンパクトディスク）プレーヤ４、ＭＤ（ミニディスク）プレーヤ５、及びカセットプレーヤ６があり、これらの再生機器の信号出力端子は全て切り換えスイッチ７に接続されている。この場合のチューナ２は、ＡＭステレオチューナ、ＦＭステレオチューナ、ステレオＴＶチューナ（地上波受信用、衛星波受信用）のいずれかである。また、プレーヤとしては、ＭＤ，ＣＤ，カセットのプレーヤ４，５，６以外にも、ＤＶＤ（デジタル多用途ディスク）プレーヤ、ハードディスクプレーヤ、半導体メモリの再生装置等がある。切り換えスイッチ７は、これらの再生機器から出力される２チャンネルステレオ信号Ｌ，Ｒのうちの１つをサラウンド回路１０に出力する。切り換えスイッチ７は、サラウンド回路１０の中に含めることもできる。
【００３８】
チューナ２の内部には、アンテナ１で受信した電波を周波数変換して中間周波数を出力するフロントエンド２Ａと、中間周波数を検波してオーディオ信号を取り出し、これから２チャンネルステレオ信号Ｌ，Ｒを生成して出力するマルチプレックス回路２Ｂとがある。フロントエンド２Ａからは、アンテナ１で受信した電波の電界強度信号が出力されており、この電界強度信号はこのオーディオシステムの全体を制御するマイクロコンピュータ９に入力される。
【００３９】
マイクロコンピュータ９には２チャンネルステレオ信号Ｌ，Ｒを出力する再生機器（チューナ２、ＣＤプレーヤ４、ＭＤプレーヤ５及びカセットプレーヤ６）の何れかを選択するための再生機器のセレクタ８が接続されており、この再生機器のセレクタ８で選択された再生機器に対応する切り換え信号がマイクロコンピュータ９から切り換えスイッチ７に出力される。この結果、再生機器のセレクタ８で選択された再生機器からの出力のみが、切り換えスイッチ７を通じてサラウンド回路１０に出力される。
【００４０】
また、ＦＭチューナ２のマルチプレックス回路２Ｂからは、受信したステレオ信号Ｌ，Ｒのセパレーションを示す信号がマイクロコンピュータ９に出力され、マイクロコンピュータ９はこのセパレーション信号に基づいて、後述するサラウンド回路１０内で生成されたリヤスピーカの駆動信号への他の信号の混合率を混合率補正回路２０に指示する。混合率補正回路２０は、マイクロコンピュータ９からの指示に基づいて、サラウンド回路１０に他の信号の混合率を指示する指示信号ＧＬ，ＧＲを出力する。この混合率指示信号ＧＬ，ＧＲについては以後の実施例の中で詳細に説明される。
【００４１】
サラウンド回路１０は、切り換えスイッチ７から入力された２チャンネルステレオ信号Ｌ，Ｒに基づいて、聴取者３０の左前方に配置された左フロントスピーカＳＰＦＬへの信号ＦＬ、右前方に配置された右フロントスピーカＳＰＦＲへの信号ＦＲ、左後方に配置された左リヤスピーカＳＰＲＬへの信号ＲＬ、及び右後方に配置された右リヤスピーカＳＰＲＲへの信号ＲＲを生成して出力する。
【００４２】
ここで、以上のように構成された４スピーカサラウンドシステムにおけるサラウンド回路１０に内蔵される本発明の音場調整装置の構成を、第１から第６の６つの実施形態、及びこの実施形態に属する実施例に基づいて説明する。なお、図２で説明した本発明のサラウンド回路１０には、入力される左チャンネル用信号Ｌと右チャンネル用信号Ｒとから差信号（Ｌ−Ｒ）を生成し、２つの入力信号Ｌ，Ｒと差信号（Ｌ−Ｒ）に基づいて、聴取者３０の前方に配置する２つのフロントスピーカＳＰＦＬ，ＳＰＦＲの駆動信号ＦＬ、ＦＲ、及び、聴取者の後方に配置する２つのリヤスピーカＳＰＲＬ，ＳＰＲＲの駆動信号ＲＬ、ＲＲを生成する機能を有する従来例と同じサラウンド信号処理回路３があるが、このサラウンド信号処理回路３の構成は公知であるのでここでは説明しない。本発明の音場調整装置は、このサラウンド信号処理回路３に接続されるものである。
（１）第１の実施形態
本発明の音場調整装置の第１の実施形態は、図２に示したサラウンド回路１０内に設けられているサラウンド信号処理回路３で生成された２つのリヤスピーカＳＰＲＬ，ＳＰＲＲの駆動信号ＲＬ、ＲＲに、２つのフロントスピーカＳＰＦＬ，ＳＰＦＲの駆動信号ＦＬ、ＦＲの一部をそれぞれ混合する形態である。
【００４３】
図３（ａ）は第１の実施形態の第１の実施例の構成を示すものである。この実施例では、２つのリヤスピーカＳＰＲＬ，ＳＰＲＲへの駆動信号ＲＬ、ＲＲのラインに、それぞれ加算器１２が設けられている。また、加算器１２の手前のラインにはそれぞれ増幅器１１Ｒが設置されている。そして、２つのフロントスピーカＳＰＦＬ，ＳＰＦＲへの駆動信号ＦＬ、ＦＲのラインは途中で分岐され、分岐されたラインがそれぞれ増幅器１１Ｆを介して加算器１２に接続されている。増幅器１１Ｆと増幅器１１Ｒの増幅率は固定でも良いが、後述するように、２チャンネルステレオ信号Ｌ，Ｒのセパレーションに応じて可変とすることができる。
【００４４】
以上のように構成された第１の実施例では、２つのリヤスピーカＳＰＲＬ，ＳＰＲＲへの駆動信号ＲＬ、ＲＲのラインに、２つのフロントスピーカＳＰＦＬ，ＳＰＦＲの駆動信号ＦＬ、ＦＲのラインを流れる信号の一部が混合される。この結果、２つのリヤスピーカＳＰＲＬ，ＳＰＲＲへの駆動信号ＲＬ、ＲＲがたとえ０になったとしても、２つのリヤスピーカＳＰＲＬ，ＳＰＲＲには２つのフロントスピーカＳＰＦＬ，ＳＰＦＲの駆動信号ＦＬ、ＦＲの一部が流れるので、２つのリヤスピーカＳＰＲＬ，ＳＰＲＲから音が出なくなるという不具合を防止することができる。
【００４５】
図３（ｂ）は第１の実施形態の第２の実施例の構成を示すものである。この実施例は、図３（ａ）で説明した第１の実施例の、２つのリヤスピーカＳＰＲＬ，ＳＰＲＲへの駆動信号ＲＬ、ＲＲのラインにそれぞれ設けられた加算器１２の後段側に遅延回路１３がそれぞれ設けられたものである。２つの遅延回路１３に設定する遅延時間は同じで良い。この遅延回路１３により、２つのリヤスピーカＳＰＲＬ，ＳＰＲＲから出る音に時間遅れが発生し、音が前方から来るように聴取者に聞こえ、音に方向感が出る。この第２の実施例によれば、前方からの音の方向性を保ったまま、従来の問題点を解消することができる。
【００４６】
図３（ｃ）は第１の実施形態の第３の実施例の構成を示すものである。この実施例は、図３（ａ）で説明した第１の実施例の２つのフロントスピーカＳＰＦＬ，ＳＰＦＲへのラインの分岐点と増幅器１１Ｆとの間に、遅延回路１３Ｆがそれぞれ設けられたものである。２つの遅延回路１３Ｆに設定する遅延時間は同じで良い。この遅延回路１３Ｆにより、２つのリヤスピーカＳＰＲＬ，ＳＰＲＲから出る音のうち、混合された２つのフロントスピーカＳＰＦＬ，ＳＰＦＲ用の音のみに時間遅れが発生して音が前方から来るように聴取者に聞こえ、音に一層方向感が出る。この第３の実施例によれば、第２の実施例の効果に加えて、前方からの音の方向性が増大する。
【００４７】
図３（ｄ）は第１の実施形態の第４の実施例の構成を示すものである。この実施例は、図３（ｃ）で説明した第３の実施例の構成に加えて、２つのリヤスピーカＳＰＲＬ，ＳＰＲＲへのラインに設けられた増幅器１１Ｒの前段側にも遅延回路１３Ｒがそれぞれ設けられたものである。２種類の遅延回路１３Ｆと１３Ｒに設定する遅延時間は同じにしても良いが、異ならせることができる。この２種類の遅延回路１３Ｆと１３Ｒに設定する遅延時間を異ならせることにより、２つのリヤスピーカＳＰＲＬ，ＳＰＲＲから出る本来の音と、混合された２つのフロントスピーカＳＰＦＬ，ＳＰＦＲの音との間に時間差を設けることができ、この結果、第４の実施例は、第３の実施例に比べて音場調整がし易くなる。例えば、２つのリヤスピーカＳＰＲＬ，ＳＰＲＲから出る音に広がり感と一層の方向感を持たせることができる。
【００４８】
図４（ａ）は第１の実施形態の第３の実施例の変形例の構成を示すものである。この変形例では、第３の実施例において増幅器１１Ｆの前段側に設けられていた遅延回路１３Ｆが、増幅器１１Ｆと加算器１２の間に移されている。この構成の効果は第３の実施例と同じである。図４（ｂ）は第１の実施形態の第４の実施例の第１の変形例の構成を示すものであり、図４（ｃ）は第１の実施形態の第４の実施例の第２の変形例の構成を示すものである。第１の変形例では、第４の実施例において増幅器１１Ｆの前段側に設けられていた遅延回路１３Ｆが、増幅器１１Ｆと加算器１２の間に移されている。また、第２の変形例では、第４の実施例において増幅器１１Ｒの前段側に設けられていた遅延回路１３Ｒが、増幅器１１Ｒと加算器１２の間に移されている。これらの構成の効果は第４の実施例と同じである。
（２）第２の実施形態
本発明の音場調整装置の第２の実施形態は、第１の実施形態の音場調整装置の、サラウンド信号処理回路３から２つのリヤスピーカＳＰＲＬ，ＳＰＲＲへの駆動信号ラインに、圧縮回路１４がそれぞれ設けられた実施形態である。ここで説明する第２の実施形態の第１から第４の実施例は、前述の第１の実施形態の第１から第４の実施例の構成に対応している。
【００４９】
第２の実施形態における圧縮回路１４は、具体的には、コンプレッサ回路、リミッタ回路等の信号のダイナミックレンジを抑えるものである。この圧縮回路１４の作用により、２つのリヤスピーカＳＰＲＬ，ＳＰＲＲから出る音の大小変動が低減される。そして、この２つのリヤスピーカＳＰＲＬ，ＳＰＲＲから出る音の大小変動を抑える効果は、フロントスピーカＳＰＦＬ，ＳＰＦＲから出る音をリヤスピーカＳＰＲＬ，ＳＰＲＲから出る音に混合することにより、一層高まる。よって、以後の第２の実施形態の第１から第４の実施例は、ここではその構成のみを説明するに留める。
【００５０】
図５（ａ）は、第２の実施形態の第１の実施例の構成を示すものである。この実施例の構成は第１の実施形態の第１の実施例に対応しており、相違点は２つのリヤスピーカＳＰＲＬ，ＳＰＲＲへの駆動信号ＲＬ、ＲＲのラインに設けられた増幅器１１Ｒの前段に圧縮回路１４がそれぞれ設置されている点のみである。
【００５１】
図５（ｂ）は、第２の実施形態の第１の実施例の変形例の構成を示すものである。この第１の実施例の変形例が第１の実施例と異なる点は、圧縮回路１４の位置のみである。すなわち、第１の実施例では、２つのリヤスピーカＳＰＲＬ，ＳＰＲＲへの駆動信号ＲＬ、ＲＲのラインに設けられた増幅器１１Ｒの前段に圧縮回路１４が設置されていたが、この変形例では、圧縮回路１４は加算器１２の後段側に設置されている点が第１の実施例と異なる点である。
【００５２】
図６（ａ）は、第２の実施形態の第２の実施例の構成を示すものである。この実施例の構成は第１の実施形態の第２の実施例に対応しており、相違点は２つのリヤスピーカＳＰＲＬ，ＳＰＲＲへの駆動信号ＲＬ、ＲＲのラインに設けられた増幅器１１Ｒの前段に圧縮回路１４がそれぞれ設置されている点のみである。
【００５３】
図６（ｂ）は、第２の実施形態の第３の実施例の構成を示すものである。この実施例の構成は第１の実施形態の第３の実施例に対応しており、相違点は２つのリヤスピーカＳＰＲＬ，ＳＰＲＲへの駆動信号ＲＬ、ＲＲのラインに設けられた増幅器１１Ｒの前段に圧縮回路１４がそれぞれ設置されている点のみである。
【００５４】
図６（ｃ）は、第２の実施形態の第４の実施例の構成を示すものである。この実施例の構成は第１の実施形態の第４の実施例に対応しており、相違点は２つのリヤスピーカＳＰＲＬ，ＳＰＲＲへの駆動信号ＲＬ、ＲＲのラインに設けられた遅延回路１３Ｒの前段に圧縮回路１４がそれぞれ設置されている点のみである。圧縮回路１４は遅延回路１３Ｒと増幅器１１Ｒの間に設置されても良い。
【００５５】
図７（ａ）は、第２の実施形態の第２の実施例の変形例の構成を示すものである。この変形例では、第２の実施例において増幅器１１Ｒの前段側に設けられていた圧縮回路１４が、遅延回路１３と加算器１２の間に移されている。図７（ｂ）は、第２の実施形態の第３の実施例の変形例の構成を示すものである。この変形例では、第３の実施例において増幅器１１Ｒの前段側に設けられていた圧縮回路１４が、加算器１２の後段側に移されている。図７（ｃ）は、第２の実施形態の第４の実施例の変形例の構成を示すものである。この変形例では、第４の実施例において遅延回路１３Ｒの前段側に設けられていた圧縮回路１４が、加算器１２の後段側に移されている。
【００５６】
以上、種々の実施例及び変形例を説明したが、第２の実施形態におけるサラウンド信号処理回路３から２つのリヤスピーカＳＰＲＬ，ＳＰＲＲへの駆動信号ラインに設置する圧縮回路１４の位置は特に限定されるものではなく、サラウンド信号処理回路３の出力信号の大きさに対応させて適宜決定すれば良い。
（３）第３の実施形態
本発明の音場調整装置の第３の実施形態は、サラウンド信号処理回路３で生成された２つのリヤスピーカＳＰＲＬ，ＳＰＲＲの駆動信号ＲＬ、ＲＲに、サラウンド信号処理回路３への２チャンネルステレオ信号Ｌ，Ｒの一部をそれぞれ混合する実施形態である。
【００５７】
図８（ａ）は、第３の実施形態の第１の実施例の構成を示すものである。この実施例では、２つのリヤスピーカＳＰＲＬ，ＳＰＲＲへの駆動信号ＲＬ、ＲＲのラインに、それぞれ加算器１２が設けられている。また、加算器１２の手前のラインにはそれぞれ増幅器１１Ｒが設置されている。そして、サラウンド信号処理回路３への２チャンネルステレオ信号Ｌ，Ｒの供給ラインが途中で分岐され、分岐されたラインがそれぞれ増幅器１１Ｆを介して加算器１２に接続されている。増幅器１１Ｆと増幅器１１Ｒの増幅率は固定でも良いが、後述するように、２チャンネルステレオ信号Ｌ，Ｒのセパレーションに応じて可変とすることができる。
【００５８】
以上のように構成された第３の実施形態の第１の実施例では、２つのリヤスピーカＳＰＲＬ，ＳＰＲＲへの駆動信号ＲＬ、ＲＲのラインに、２チャンネルステレオ信号Ｌ、Ｒの供給ラインを流れる信号の一部が混合されるので、２つのリヤスピーカＳＰＲＬ，ＳＰＲＲへの駆動信号ＲＬ、ＲＲがたとえ０になったとしても、２つのリヤスピーカＳＰＲＬ，ＳＰＲＲには２チャンネルステレオ信号Ｌ、Ｒの一部が流れるので、２つのリヤスピーカＳＰＲＬ，ＳＰＲＲから音が出なくなるという不具合を防止することができる。
【００５９】
図８（ｂ）は、第３の実施形態の第２の実施例の構成を示すものである。この実施例は、図８（ａ）で説明した第１の実施例の、２つのリヤスピーカＳＰＲＬ，ＳＰＲＲへの駆動信号ＲＬ、ＲＲのラインにそれぞれ設けられた加算器１２の後段側に遅延回路１３がそれぞれ設けられたものである。２つの遅延回路１３に設定する遅延時間は同じで良い。この遅延回路１３により、２つのリヤスピーカＳＰＲＬ，ＳＰＲＲから出る音に時間遅れが発生し、音が前方から来るように聴取者に聞こえ、音に方向感が出る。この第２の実施例によれば、前方からの音の方向性を保ったまま、従来の問題点を解消することができる。
【００６０】
図８（ｃ）は、第３の実施形態の第３の実施例の構成を示すものである。この実施例は、図８（ａ）で説明した第１の実施例の２チャンネルステレオ信号Ｌ，Ｒの供給ラインの分岐点と増幅器１１Ｆとの間に、遅延回路１３Ｆがそれぞれ設けられたものである。２つの遅延回路１３Ｆに設定する遅延時間は同じで良い。この遅延回路１３Ｆにより、２つのリヤスピーカＳＰＲＬ，ＳＰＲＲから出る音のうち、混合された２チャンネルステレオ信号Ｌ，Ｒのみに時間遅れが発生して音が前方から来るように聴取者に聞こえ、音に一層方向感が出る。すなわち、第３の実施例によれば、第２の実施例の効果に加えて、前方からの音の方向性が増大する。
【００６１】
図８（ｄ）は、第３の実施形態の第４の実施例の構成を示すものである。この実施例は、図８（ｃ）で説明した第３の実施例の構成に加えて、２つのリヤスピーカＳＰＲＬ，ＳＰＲＲへのラインに設けられた増幅器１１Ｒの前段側にも遅延回路１３Ｒがそれぞれ設けられたものである。２種類の遅延回路１３Ｆと１３Ｒに設定する遅延時間は同じにしても良いが、異ならせることができる。この２種類の遅延回路１３Ｆと１３Ｒに設定する遅延時間を異ならせることにより、２つのリヤスピーカＳＰＲＬ，ＳＰＲＲから出る本来の音と、混合された２チャンネルステレオ信号Ｌ，Ｒによる音との間に時間差を設けることができ、この結果、第４の実施例は、第３の実施例に比べて音場調整がし易くなる。例えば、２つのリヤスピーカＳＰＲＬ，ＳＰＲＲから出る音に広がり感と一層の方向感を持たせることができる。
【００６２】
図９（ａ）は、第３の実施形態の第３の実施例の変形例の構成を示すものである。この変形例では、第３の実施例において増幅器１１Ｆの前段側に設けられていた遅延回路１３Ｆが、増幅器１１Ｆと加算器１２の間に移されている。この構成の効果は第３の実施例と同じである。図９（ｂ）は、第３の実施形態の第４の実施例の第１の変形例の構成を示すものであり、図９（ｃ）は、第３の実施形態の第４の実施例の第２の変形例の構成を示すものである。第１の変形例では、第４の実施例において増幅器１１Ｆの前段側に設けられていた遅延回路１３Ｆが、増幅器１１Ｆと加算器１２の間に移されている。また、第２の変形例では、第４の実施例において増幅器１１Ｒの前段側に設けられていた遅延回路１３Ｒが、増幅器１１Ｒと加算器１２の間に移されている。これらの構成の効果は第４の実施例と同じである。
（４）第４の実施形態
本発明の音場調整装置の第４の実施形態は、第３の実施形態の音場調整装置の、サラウンド信号処理回路３から２つのリヤスピーカＳＰＲＬ，ＳＰＲＲへの駆動信号ラインに、圧縮回路１４がそれぞれ設けられた実施形態である。ここで説明する第４の実施形態の第１から第４の実施例は、前述の第３の実施形態の第１から第４の実施例の構成に対応している。
【００６３】
第４の実施形態における圧縮回路１４は、具体的には、コンプレッサ回路、リミッタ回路等の信号のダイナミックレンジを抑えるものである。この圧縮回路１４の作用により、２つのリヤスピーカＳＰＲＬ，ＳＰＲＲから出る音の大小変動が低減される。そして、この２つのリヤスピーカＳＰＲＬ，ＳＰＲＲから出る音の大小変動を抑える効果は、２チャンネルステレオ信号Ｌ，Ｒを、リヤスピーカＳＰＲＬ，ＳＰＲＲの駆動信号ＲＬ，ＲＲに混合してやることにより、一層高まる。よって、以後の第４の実施形態の第１から第４の実施例は、ここではその構成のみを説明するに留める。
【００６４】
図１０（ａ）は、第４の実施形態の第１の実施例の構成を示すものである。この実施例の構成は第３の実施形態の第１の実施例に対応しており、相違点は２つのリヤスピーカＳＰＲＬ，ＳＰＲＲへの駆動信号ＲＬ、ＲＲのラインに設けられた増幅器１１Ｒの前段に圧縮回路１４がそれぞれ設置されている点のみである。
【００６５】
図１０（ｂ）は、第４の実施形態の第１の実施例の変形例の構成を示すものである。この第１の実施例の変形例が第１の実施例と異なる点は、圧縮回路１４の位置のみである。すなわち、第１の実施例では、２つのリヤスピーカＳＰＲＬ，ＳＰＲＲへの駆動信号ＲＬ、ＲＲのラインに設けられた増幅器１１Ｒの前段に圧縮回路１４が設置されていたが、この変形例では、圧縮回路１４は加算器１２の後段側に設置されている点が第１の実施例と異なる点である。
【００６６】
図１１（ａ）は、第４の実施形態の第２の実施例の構成を示すものである。この実施例の構成は第３の実施形態の第２の実施例に対応しており、相違点は２つのリヤスピーカＳＰＲＬ，ＳＰＲＲへの駆動信号ＲＬ、ＲＲのラインに設けられた増幅器１１Ｒの前段に圧縮回路１４がそれぞれ設置されている点のみである。
【００６７】
図１１（ｂ）は、第４の実施形態の第３の実施例の構成を示すものである。この実施例の構成は第３の実施形態の第３の実施例に対応しており、相違点は２つのリヤスピーカＳＰＲＬ，ＳＰＲＲへの駆動信号ＲＬ、ＲＲのラインに設けられた増幅器１１Ｒの前段に圧縮回路１４がそれぞれ設置されている点のみである。
【００６８】
図１１（ｃ）は、第４の実施形態の第４の実施例の構成を示すものである。この実施例の構成は第３の実施形態の第４の実施例に対応しており、相違点は２つのリヤスピーカＳＰＲＬ，ＳＰＲＲへの駆動信号ＲＬ、ＲＲのラインに設けられた遅延回路１３Ｒの前段に圧縮回路１４がそれぞれ設置されている点のみである。圧縮回路１４は遅延回路１３Ｒと増幅器１１Ｒの間に設置されても良い。
【００６９】
図１２（ａ）は、第４の実施形態の第２の実施例の変形例の構成を示すものである。この変形例では、第２の実施例において増幅器１１Ｒの前段側に設けられていた圧縮回路１４が、遅延回路１３と加算器１２の間に移されている。図１２（ｂ）は、第４の実施形態の第３の実施例の変形例の構成を示すものである。この変形例では、第３の実施例において増幅器１１Ｒの前段側に設けられていた圧縮回路１４が、加算器１２の後段側に移されている。図１２（ｃ）は、第４の実施形態の第４の実施例の変形例の構成を示すものである。この変形例では、第４の実施例において遅延回路１３Ｒの前段側に設けられていた圧縮回路１４が、加算器１２の後段側に移されている。
【００７０】
以上、種々の実施例及び変形例を説明したが、第４の実施形態におけるサラウンド信号処理回路３から２つのリヤスピーカＳＰＲＬ，ＳＰＲＲへの駆動信号ラインに設置する圧縮回路１４の位置は特に限定されるものではなく、サラウンド信号処理回路３の出力信号の大きさに対応させて適宜決定すれば良い。
（５）第５の実施形態
本発明の音場調整装置の第５の実施形態は、サラウンド信号処理回路３で生成された２つのリヤスピーカＳＰＲＬ，ＳＰＲＲの駆動信号ＲＬ、ＲＲに、２つのフロントスピーカＳＰＦＬ，ＳＰＦＲの駆動信号ＦＬ、ＦＲの一部を、加算器１２Ｆによって加算した後に分岐してそれぞれ混合する実施形態である。言い換えれば、２つのリヤスピーカＳＰＲＬ，ＳＰＲＲの駆動信号ＲＬ、ＲＲに、２つのフロントスピーカＳＰＦＬ，ＳＰＦＲの駆動信号ＦＬ、ＦＲを加えてモノラル化したものの一部を加えるものである。
【００７１】
第５の実施形態では、２つのリヤスピーカＳＰＲＬ，ＳＰＲＲの駆動信号ＲＬ、ＲＲに、２つのフロントスピーカＳＰＦＬ，ＳＰＦＲの駆動信号ＦＬ、ＦＲを加えてモノラル化したものの一部を加えるために、リヤスピーカＳＰＲＬ，ＳＰＲＲから出る音のセパレーションは悪化するが、後方から安定して音が再生されるという利点がある。そして、この第５の実施形態では、２つのフロントスピーカＳＰＦＬ，ＳＰＦＲの駆動信号ＦＬ、ＦＲを加えてモノラル化した後に分岐するという点を除いて、第１の実施形態と同じ実施例、及びその変形例が可能である。
【００７２】
そこで、第５の実施形態では、第１の実施形態の第１から第４の実施例に対応する基本的な第１から第４の実施例と、１つの変形例の構成のみを説明するに留める。
【００７３】
図１３（ａ）は、第５の実施形態の第１の実施例の構成を示すものである。この実施例では、２つのリヤスピーカＳＰＲＬ，ＳＰＲＲへの駆動信号ＲＬ、ＲＲのラインに、それぞれ加算器１２が設けられている。また、加算器１２の手前のラインにはそれぞれ増幅器１１Ｒが設置されている。そして、２つのフロントスピーカＳＰＦＬ，ＳＰＦＲへの駆動信号ＦＬ、ＦＲのラインは途中で分岐され、分岐されたラインがそれぞれ増幅器１１Ｆを介して加算器１２Ｆに接続されている。加算器１２Ｆの出力は２つに分岐されてそれぞれ加算器１２に接続されている。増幅器１１Ｆは、加算器１２Ｆの後段に１つだけ設けても良い。
【００７４】
図１３（ｂ）は、第５の実施形態の第２の実施例の構成を示すものである。この実施例は、図１３（ａ）で説明した第１の実施例の、２つのリヤスピーカＳＰＲＬ，ＳＰＲＲへの駆動信号ＲＬ、ＲＲのラインにそれぞれ設けられた加算器１２の後段側に遅延回路１３がそれぞれ設けられたものである。
【００７５】
図１３（ｃ）は、第５の実施形態の第３の実施例の構成を示すものである。この実施例は、図１３（ａ）で説明した第１の実施例の加算器１２Ｆの後段に、１つの遅延回路１３Ｆが設けられたものである。
【００７６】
図１３（ｄ）は、第５の実施形態の第４の実施例の構成を示すものである。この実施例は、図１３（ｃ）で説明した第３の実施例の構成に加えて、２つのリヤスピーカＳＰＲＬ，ＳＰＲＲへのラインに設けられた増幅器１１Ｒの前段側にも遅延回路１３Ｒがそれぞれ設けられたものである。
【００７７】
また、第５の実施形態では、第２の実施形態のように、サラウンド信号処理回路３から２つのリヤスピーカＳＰＲＬ，ＳＰＲＲへの駆動信号ラインに、圧縮回路１４がそれぞれ設けられた実施例も可能である。
（６）第６の実施形態
本発明の音場調整装置の第６の実施形態は、サラウンド信号処理回路３で生成された２つのリヤスピーカＳＰＲＬ，ＳＰＲＲの駆動信号ＲＬ、ＲＲに、サラウンド信号処理回路３への２チャンネルステレオ信号Ｌ，Ｒの一部を、加算器１２Ｆによって加算した後に分岐してそれぞれ混合する実施形態である。即ち、２つのリヤスピーカＳＰＲＬ，ＳＰＲＲの駆動信号ＲＬ、ＲＲに、２チャンネルステレオ信号Ｌ，Ｒを加えてモノラル化したものの一部を加えるものである。
【００７８】
第６の実施形態でも、２つのリヤスピーカＳＰＲＬ，ＳＰＲＲの駆動信号ＲＬ、ＲＲに、２チャンネルステレオ信号Ｌ，Ｒを加えてモノラル化したものの一部を加えるために、リヤスピーカＳＰＲＬ，ＳＰＲＲから出る音のセパレーションは悪化するが、後方から安定して音が再生されるという利点がある。そして、この第６の実施形態では、２チャンネルステレオ信号Ｌ，Ｒを加えてモノラル化した後に分岐するという点を除いて、第３の実施形態と同じ実施例、及びその変形例が可能である。
【００７９】
そこで、第６の実施形態では、第３の実施形態の第１から第４の実施例に対応する基本的な第１から第４の実施例と、１つの変形例の構成のみを説明するに留める。
【００８０】
図１４（ａ）は、第６の実施形態の第１の実施例の構成を示すものである。この実施例では、２つのリヤスピーカＳＰＲＬ，ＳＰＲＲへの駆動信号ＲＬ、ＲＲのラインに、それぞれ加算器１２が設けられている。また、加算器１２の手前のラインにはそれぞれ増幅器１１Ｒが設置されている。そして、２チャンネルステレオ信号Ｌ，Ｒの供給ラインは途中で分岐され、分岐されたラインがそれぞれ増幅器１１Ｆを介して加算器１２Ｆに接続されている。加算器１２Ｆの出力は２つに分岐されてそれぞれ加算器１２に接続されている。増幅器１１Ｆは、加算器１２Ｆの後段に１つだけ設けても良い。
【００８１】
図１４（ｂ）は、第６の実施形態の第２の実施例の構成を示すものである。この実施例は、図１４（ａ）で説明した第１の実施例の、２つのリヤスピーカＳＰＲＬ，ＳＰＲＲへの駆動信号ＲＬ、ＲＲのラインにそれぞれ設けられた加算器１２の後段側に遅延回路１３がそれぞれ設けられたものである。
【００８２】
図１４（ｃ）は、第６の実施形態の第３の実施例の構成を示すものである。この実施例は、図１４（ａ）で説明した第１の実施例の加算器１２Ｆの後段に、１つの遅延回路１３Ｆが設けられたものである。
【００８３】
図１４（ｄ）は、第６の実施形態の第４の実施例の構成を示すものである。この実施例は、図１４（ｃ）で説明した第３の実施例の構成に加えて、２つのリヤスピーカＳＰＲＬ，ＳＰＲＲへのラインに設けられた増幅器１１Ｒの前段側にも遅延回路１３Ｒがそれぞれ設けられたものである。
【００８４】
また、第６の実施形態では、第４の実施形態のように、サラウンド信号処理回路３から２つのリヤスピーカＳＰＲＬ，ＳＰＲＲへの駆動信号ラインに、圧縮回路１４がそれぞれ設けられた形態も可能である。
【００８５】
図１５（ａ）は、第５の実施形態の第１の実施例の１つの変形例の構成を示す回路図である。第５の実施形態の第１の実施例では、２つのリヤスピーカＳＰＲＬ，ＳＰＲＲの駆動信号ＲＬ、ＲＲに、２つのフロントスピーカＳＰＦＬ，ＳＰＦＲの駆動信号ＦＬ、ＦＲを加えてモノラル化したものの一部を加えていたが、この変形例では、２つのフロントスピーカＳＰＦＬ，ＳＰＦＲの駆動信号ＦＬ、ＦＲのうちの一方の一部を加える点が異なる。この変形例では、フロントスピーカＳＰＦＬの駆動信号ＦＬの一部が加えられているが、フロントスピーカＳＰＦＲの駆動信号ＦＲを加えても良い。
【００８６】
図１５（ｂ）は、第６の実施形態の第１の実施例の１つの変形例の構成を示す回路図である。第６の実施形態の第１の実施例では、２つのリヤスピーカＳＰＲＬ，ＳＰＲＲの駆動信号ＲＬ、ＲＲに、２チャンネルステレオ信号Ｌ，Ｒを加えてモノラル化したものの一部を加えていたが、この変形例では、２チャンネルステレオ信号Ｌ、Ｒのうちの一方の一部を加える点が異なる。この変形例では、フロントスピーカＳＰＦＲの駆動信号ＦＲの一部が加えられているが、フロントスピーカＳＰＦＬの駆動信号ＦＬを加えても良い。
（７）第１から第６の実施形態における増幅器の増幅率調整
以上説明した本発明の音場調整装置の第１から第６の実施形態には、増幅器１１Ｆ及び増幅器１１Ｒが使用されており、これらの増幅器のゲイン（増幅率）は、予め設定した固定値とすることもできるが、可変することもできる。この増幅器１１Ｆ，１１Ｒの増幅率を調整する場合について、第１の実施形態の第１の実施例の回路を例にとって説明する。
【００８７】
図１６（ａ）は、第１の実施形態の第１の実施例の回路に、増幅率調整回路２１が設けられた状態を示している。増幅率調整回路２１は、図２で説明した混合率補正回路２０からの混合率指示信号ＧＬ，ＧＲを受けると、混合率指示信号ＧＬ，ＧＲに合わせて増幅器１１Ｆ及び増幅器１１Ｒの増幅率を決定し、増幅器１１Ｆ及び増幅器１１Ｒの増幅率を制御する。
【００８８】
２つのリヤスピーカＳＰＲＬ，ＳＰＲＲの駆動信号ＲＬ、ＲＲに混合する、２つのフロントスピーカＳＰＦＬ，ＳＰＦＲの駆動信号ＦＬ、ＦＲ、あるいは、２チャンネルステレオ信号Ｌ，Ｒの割合は、２チャンネルステレオ信号Ｌ，Ｒのセパレーションが大きい時には小さくてよい。そこで、図２に示したマイクロコンピュータ９は、例えば、図１６（ｂ）に示すような特性をマップ化したデータを共通マップ、或いは増幅器個別のマップの形で記憶しており、２チャンネルステレオ信号Ｌ，Ｒのセパレーションが大きい時には、２つのフロントスピーカＳＰＦＬ，ＳＰＦＲの駆動信号ＦＬ、ＦＲ、あるいは、２チャンネルステレオ信号Ｌ，Ｒの混合率、すなわち、増幅器１１Ｆ及び増幅器１１Ｒの増幅率が小さくなるように制御する。
【００８９】
また、２チャンネルステレオ信号Ｌ，Ｒのセパレーションの値に所定の閾値を設定しておき、入力された２チャンネルステレオ信号Ｌ，Ｒのセパレーションがこの閾値よりも大きい時には、２つのフロントスピーカＳＰＦＬ，ＳＰＦＲの駆動信号ＦＬ、ＦＲ、あるいは、２チャンネルステレオ信号Ｌ，Ｒの混合率、すなわち、増幅器１１Ｆ及び増幅器１１Ｒの増幅率が小さくなるように制御するようにしても良い。
【００９０】
このような制御により、２チャンネルステレオ信号のセパレーションが大きい時には、サラウンド効果を発揮させるようにし、セパレーションが小さい時にはリヤスピーカから音が出ないという不具合を無くすことができる。
【００９１】
更に、図２で説明した切り換えスイッチ７によって切り換えられる、２チャンネルステレオ信号Ｌ，Ｒのサラウンド回路１０への入力ソースの種類によって、リヤスピーカへの駆動信号に加算する他の信号の加算量を制御するようにしても良い。例えば、ＣＤ，ＭＤ，カセット、ＤＶＤ、ハードディスク、半導体メモリ等の記録媒体からステレオ信号を再生するプレーヤ系では、再生されるステレオ信号のセパレーションに変動がなく、電波を受信するチューナ系では受信環境によって再生されるステレオ信号のセパレーションに変動があるので、チューナ系ではリヤスピーカへの駆動信号に加算する他の信号の加算量が多くなるように制御し、プレーヤ系ではリヤスピーカへの駆動信号に加算する他の信号の加算量が少なくなるように制御しても良い。
（８）第７の実施形態
以上説明した本発明の音場調整装置の第１から第６の実施形態は、聴取者３０の左前方に配置された左フロントスピーカＳＰＦＬ、右前方に配置された右フロントスピーカＳＰＦＲ、左後方に配置された左リヤスピーカＳＰＲＬ、及び右後方に配置された右リヤスピーカＳＰＲＲの４スピーカを使用するサラウンドシステムに本発明の音場調整装置を適用したものであった。
【００９２】
一方、本発明の音場調整装置の第７の実施形態は、図１７（ａ）に示すように、聴取者３０の左前方に配置された左フロントスピーカＳＰＦＬ、右前方に配置された右フロントスピーカＳＰＦＲ、後方に１つだけ配置されたリヤスピーカＳＰＲＣの３スピーカを使用するサラウンドシステムに本発明の音場調整装置を適用したものである。第７の実施形態では、サラウンド信号処理回路３で生成されたリヤスピーカＳＰＲＣの駆動信号ＲＣに、２つのフロントスピーカＳＰＦＬ，ＳＰＦＲの駆動信号ＦＬ、ＦＲの一部、あるいは２チャンネルステレオ信号Ｌ，Ｒの一部が、混合された後に加えられている。
【００９３】
図１７（ｂ）は、第７の実施形態における１つの実施例の構成を示す回路図であり、第１の実施形態の第１の実施例に対応するものである。この実施例では、リヤスピーカＳＰＲＣへの駆動信号ＲＣのラインに加算器１２が設けられている。また、加算器１２の手前のラインには増幅器１１Ｒが設置されている。そして、２つのフロントスピーカＳＰＦＬ，ＳＰＦＲへの駆動信号ＦＬ、ＦＲのラインは途中で分岐され、分岐されたラインがそれぞれ増幅器１１Ｆを介して加算器１２Ｆに接続された後に、加算器１２に接続されている。
【００９４】
第７の実施形態には、この実施例の他に、以下のような実施例が可能である。
【００９５】
（Ａ）加算器１２の前段又は後段側に遅延回路を備える。
【００９６】
（Ｂ）増幅器１１Ｆの前段又は後段側に遅延回路を備える。
【００９７】
（Ｃ）増幅器１１Ｆ，１１Ｒの前段又は後段側にそれぞれ遅延回路を備える。
【００９８】
（Ｄ）リヤスピーカＳＰＲＣへの駆動信号ラインに圧縮回路を備える。
【００９９】
（Ｅ）２つのフロントスピーカＳＰＦＬ，ＳＰＦＲの駆動信号ＦＬ、ＦＲの一方の一部、あるいは２チャンネルステレオ信号Ｌ，Ｒの一方の一部がリヤスピーカＳＰＲＬ，ＳＰＲＲへの駆動信号のラインに加えられる。
（９）第８の実施形態
本発明の音場調整装置の第８の実施形態は、図１８（ａ）に示すように、左フロントスピーカＳＰＦＬ、右フロントスピーカＳＰＦＲ、左リヤスピーカＳＰＲＬ、及び右リヤスピーカＳＰＲＲの４スピーカに加えて、聴取者３０の前方中央に配置されたフロントセンタスピーカＳＰＦＣを加えた５スピーカを使用するサラウンドシステムに、本発明の音場調整装置を適用したものである。第８の実施形態では、サラウンド信号処理回路３で生成された２つのリヤスピーカＳＰＲＬとＳＰＲＲの駆動信号ＲＬ，ＲＲに、２つのフロントスピーカＳＰＦＬ，ＳＰＦＲの駆動信号ＦＬ、ＦＲの一部、あるいは２チャンネルステレオ信号Ｌ，Ｒの一部を加える第１形態と、フロントセンタスピーカＳＰＦＣの駆動信号ＦＣの一部を加える第２形態とがある。
【０１００】
図１８（ｂ）は、第１形態の第１の実施例であり、サラウンド信号処理回路３から前方中央のセンタスピーカＳＰＦＣの駆動信号ＦＣが増えただけであり、残りの構成は図３（ａ）で説明した第１の形態の第１の実施例の構成と全く同じであるので、その説明を省略する。図１８（ｃ）は第２形態の第２の実施例であり、２つのリヤスピーカＳＰＲＬ，ＳＰＲＣへの駆動信号ＲＬ，ＲＲのラインに設けられた加算器１２には、フロントセンタスピーカＳＰＦＣの駆動信号ＦＣの一部が、増幅器１１Ｆで増幅された後にそれぞれ加えられる。
【０１０１】
第８の実施形態には、この実施例の他に、以下のような実施例が可能である。
【０１０２】
（Ａ）加算器１２の前段又は後段側に遅延回路を備える。
【０１０３】
（Ｂ）増幅器１１Ｆの前段又は後段側に遅延回路を備える。
【０１０４】
（Ｃ）増幅器１１Ｆ，１１Ｒの前段又は後段側にそれぞれ遅延回路を備える。
【０１０５】
（Ｄ）リヤスピーカＳＰＲＬ，ＳＰＲＲへの駆動信号ラインにそれぞれ圧縮回路を備える。
【０１０６】
（Ｅ）２つのフロントスピーカＳＰＦＬ，ＳＰＦＲの駆動信号ＦＬ、ＦＲを混合した後の一部、あるいは２チャンネルステレオ信号Ｌ，Ｒを混合した後の一部が、分岐した後にそれぞれリヤスピーカＳＰＲＬ，ＳＰＲＲへの駆動信号のラインに加えられる。
【０１０７】
（Ｆ）２つのフロントスピーカＳＰＦＬ，ＳＰＦＲの駆動信号ＦＬ、ＦＲの一方の一部、あるいは２チャンネルステレオ信号Ｌ，Ｒの一方の一部が、それぞれリヤスピーカＳＰＲＬ，ＳＰＲＲへの駆動信号のラインに加えられる。
（１０）第９の実施形態
本発明の音場調整装置の第９の実施形態は、図１９（ａ）に示すように、左フロントスピーカＳＰＦＬ、右フロントスピーカＳＰＦＲ、左リヤスピーカＳＰＲＬ、及び右リヤスピーカＳＰＲＲの４スピーカに加えて、フロントセンタスピーカＳＰＦＣとリヤセンタスピーカＳＰＲＣを加えた６スピーカを使用するサラウンドシステムに本発明の音場調整装置を適用したものである。
【０１０８】
第９の実施形態では、リヤセンタスピーカＳＰＲＣにどのような信号を混合するかによって、以下の４つの実施例が考えられる。
【０１０９】
第１の実施例は、リヤセンタスピーカＳＰＲＣに、フロントセンタスピーカＳＰＦＣへの駆動信号ＦＣの一部を混合するものであり、この構成が図１９（ｂ）に示される。その他の構成は第１の実施形態の第１の実施例と同じであるので、その説明を省略する。
【０１１０】
第２の実施例は、３つのリヤスピーカＳＰＲＬ，ＳＰＲＣ，ＳＰＲＲの全てに、フロントセンタスピーカＳＰＦＣへの駆動信号ＦＣの一部を混合するものであり、この構成が図１９（ｃ）に示される。
【０１１１】
第３の実施例は、リヤセンタスピーカＳＰＲＣに、左フロントスピーカＳＰＦＬと右フロントスピーカＳＰＦＲへの駆動信号ＦＬとＦＲの一部を混合した後に加えるものであり、この構成が図２０（ａ）に示される。
【０１１２】
第４の実施例は、リヤセンタスピーカＳＰＲＣへの駆動信号ＲＣに、左フロントスピーカＳＰＦＬへの駆動信号ＦＬの一部が混合された後の左リヤスピーカＳＰＲＬへの駆動信号と、右フロントスピーカＳＰＦＲへの駆動信号ＦＲの一部が混合された後の右リヤスピーカＳＰＲＲへの駆動信号とが、増幅回路１１Ｃを経て加算器１２Ｃに加えられるものであり、この構成が図２０（ｂ）に示される。
【０１１３】
第９の実施形態にも、第８の実施例と同様に、前述の（Ａ）〜（Ｆ）の構成の実施例が可能である。
【０１１４】
なお、以上のように構成された本発明の音場調整装置は、ＦＭチューナを備えたサラウンド装置が車両に搭載された場合においてこれに接続すると、車両が電波状態の悪い地域を走行した場合に特に有効である。
【産業上の利用可能性】
【０１１５】
本発明の音場調整装置は、ステレオ２チャンネル信号またはその差成分に基づいて４チャンネルのサラウンド信号を生成するサラウンド装置に接続すれば、サラウンド装置に入力されるステレオ２チャンネル信号のセパレーションが何らかの原因で悪化した場合でも、後方到来音の大小の変動や、音が全く出ないという不具合が発生しないので、音場調整装置に有効に利用できる。特に、本発明は自動車に搭載されたサラウンド装置から出力される音を調整する音場調整装置に適用する場合に有効である。
【図面の簡単な説明】
【０１１６】
【図１】（ａ）は強電界地域にＦＭチューナが設置されている場合のサラウンド処理回路の動作を示す図、（ｂ）は弱電界地域にＦＭチューナが設置されている場合のサラウンド処理回路の動作の問題点を示す図である。
【図２】本発明の音場調整装置を内蔵させるサラウンド回路を備えたオーディオシステムの全体構成図である。
【図３】本発明の音場調整装置を４スピーカシステムのサラウンド装置に接続した場合の第１の実施形態を示しており、（ａ）は第１の実施形態の第１の実施例の構成を示す回路図、（ｂ）は第１の実施形態の第２の実施例の構成を示す回路図、（ｃ）は第１の実施形態の第３の実施例の構成を示す回路図、（ｄ）は第１の実施形態の第４の実施例の構成を示す回路図である。
【図４】（ａ）は第１の実施形態の第３の実施例の変形例の構成を示す回路図、（ｂ）は第１の実施形態の第４の実施例の第１の変形例の構成を示す回路図、（ｃ）は第１の実施形態の第４の実施例の第２の変形例の構成を示す回路図である。
【図５】本発明の音場調整装置を４スピーカシステムのサラウンド装置に接続した場合の第２の実施形態を示しており、（ａ）は第２の実施形態の第１の実施例の構成を示す回路図、（ｂ）は第２の実施形態の第１の実施例の変形例の構成を示す回路図である。
【図６】（ａ）は第２の実施形態の第２の実施例の構成を示す回路図、（ｂ）は第２の実施形態の第３の実施例の構成を示す回路図、（ｃ）は第２の実施形態の第４の実施例の構成を示す回路図である。
【図７】（ａ）は第２の実施形態の第２の実施例の変形例の構成を示す回路図、（ｂ）は第２の実施形態の第３の実施例の変形例の構成を示す回路図、（ｃ）は第２の実施形態の第４の実施例の構成を示す回路図である。
【図８】本発明の音場調整装置を４スピーカシステムのサラウンド装置に接続した場合の第３の実施形態を示しており、（ａ）は第３の実施形態の第１の実施例の構成を示す回路図、（ｂ）は第３の実施形態の第２の実施例の構成を示す回路図、（ｃ）は第３の実施形態の第３の実施例の構成を示す回路図、（ｄ）は第３の実施形態の第４の実施例の構成を示す回路図である。
【図９】（ａ）は第３の実施形態の第３の実施例の変形例の構成を示す回路図、（ｂ）は第３の実施形態の第４の実施例の第１の変形例の構成を示す回路図、（ｃ）は第３の実施形態の第４の実施例の第２の変形例の構成を示す回路図である。
【図１０】本発明の音場調整装置を４スピーカシステムのサラウンド装置に接続した場合の第４の実施形態を示しており、（ａ）は第４の実施形態の第１の実施例の構成を示す回路図、（ｂ）は第４の実施形態の第１の実施例の変形例の構成を示す回路図である。
【図１１】（ａ）は第４の実施形態の第２の実施例の構成を示す回路図、（ｂ）は第４の実施形態の第３の実施例の構成を示す回路図、（ｃ）は第４の実施形態の第４の実施例の構成を示す回路図である。
【図１２】（ａ）は第４の実施形態の第２の実施例の変形例の構成を示す回路図、（ｂ）は第４の実施形態の第３の実施例の変形例の構成を示す回路図、（ｃ）は第４の実施形態の第４の実施例の構成を示す回路図である。
【図１３】本発明の音場調整装置を４スピーカシステムのサラウンド装置に接続した場合の第５の実施形態を示しており、（ａ）は第５の実施形態の第１の実施例の構成を示す回路図、（ｂ）は第５の実施形態の第２の実施例の構成を示す回路図、（ｃ）は第５の実施形態の第３の実施例の構成を示す回路図、（ｄ）は第５の実施形態の第４の実施例の構成を示す回路図である。
【図１４】本発明の音場調整装置を４スピーカシステムのサラウンド装置に接続した場合の第６の実施形態を示しており、（ａ）は第６の実施形態の第１の実施例の構成を示す回路図、（ｂ）は第６の実施形態の第２の実施例の構成を示す回路図、（ｃ）は第６の実施形態の第３の実施例の構成を示す回路図、（ｄ）は第６の実施形態の第４の実施例の構成を示す回路図である。
【図１５】（ａ）は第５の実施形態の第１の実施例の変形例の構成を示す回路図、（ｂ）は第６の実施形態の第１の実施例の変形例の構成を示す回路図である。
【図１６】（ａ）は以上説明した実施例の回路に設けられた増幅器の増幅率を調整する回路構成を示す回路図、（ｂ）は２チャンネルステレオ信号のセパレーションと各増幅器のゲイン特性の特徴を説明する代表特性図である。
【図１７】（ａ）は本発明の音場調整装置を３スピーカシステムのサラウンド装置のサラウンド回路に内蔵させた第７の実施形態における各スピーカの配置例を示す図、（ｂ）は第７の実施形態における１つの実施例の構成を示す回路図である。
【図１８】（ａ）は本発明の音場調整装置を５スピーカシステムのサラウンド装置のサラウンド回路に内蔵させた第８の実施形態における各スピーカの配置例を示す図、（ｂ）は第８の実施形態における第１の実施例の構成を示す回路図、（ｃ）は第８の実施形態における第２の実施例の構成を示す回路図である。
【図１９】（ａ）は本発明の音場調整装置を６スピーカシステムのサラウンド装置のサラウンド回路に内蔵させた第９の実施形態における各スピーカの配置例を示す図、（ｂ）は第９の実施形態における第１の実施例の構成を示す回路図、（ｃ）は第９の実施形態における第２の実施例の構成を示す回路図である。
【図２０】（ａ）は第９の実施形態における第３の実施例の構成を示す回路図、（ｂ）は第９の実施形態における第４の実施例の構成を示す回路図である。
【符号の説明】
【０１１７】
１…アンテナ
２…ＦＭチューナ
３…サラウンド信号処理回路
７…切り換えスイッチ
８…操作器セレクタ
９…マイクロコンピュータ
１０…本発明のサラウンド回路
１１，１１Ｆ，１１Ｒ…増幅器
１２，１２Ｃ，１２Ｆ…加算器
１３，１３Ｆ，１３Ｒ…遅延回路
１４…圧縮回路
２０…混合率補正回路
２１…増幅率調整回路
３０…聴取者
ＳＰＦＣ…フロントセンタスピーカ
ＳＰＦＬ…左フロントスピーカ
ＳＰＦＲ…右フロントスピーカ
ＳＰＲＣ…リヤセンタスピーカ
ＳＰＲＬ…左リヤスピーカ
ＳＰＲＲ…右リヤスピーカ
【図１】
2004364240.tif 000003
【図２】
2004364240.tif 000004
【図３】
2004364240.tif 000005
【図４】
2004364240.tif 000006
【図５】
2004364240.tif 000007
【図６】
2004364240.tif 000008
【図７】
2004364240.tif 000009
【図８】
2004364240.tif 000010
【図９】
2004364240.tif 000011
【図１０】
2004364240.tif 000012
【図１１】
2004364240.tif 000013
【図１２】
2004364240.tif 000014
【図１３】
2004364240.tif 000015
【図１４】
2004364240.tif 000016
【図１５】
2004364240.tif 000017
【図１６】
2004364240.tif 000018
【図１７】
2004364240.tif 000019
【図１８】
2004364240.tif 000020
【図１９】
2004364240.tif 000021
【図２０】
2004364240.tif 000022